(57)【要約】      （修正有）【課題】水密性を高め、粉塵や、水滴の侵入を防止可能な照明装置を提供する。【解決手段】点灯装置は、点灯装置を収納するための電源ＢＯＸ４と、電源ＢＯＸ４の開口部を塞ぐ樹脂カバー５、電源ＢＯＸ４と樹脂カバー５との間に両者の水密のために位置するブロック形状のシール用ゴムパッキン６と、を有する。シール用ゴムパッキン６は、電源ＢＯＸ４の端面に接するシール接地面部と、シール接地面部から樹脂カバー５方向に突出する環状の三角リブと、を有する。環状の三角リブは、電源ＢＯＸ４と、シール用ゴムパッキン６と、樹脂カバー５と、を組み合わせた状態で、樹脂カバー５に接触する。【選択図】図３
2020140785.tif 000002
【特許請求の範囲】
【請求項１】
点灯装置を収納するための電源ＢＯＸと、該電源ＢＯＸの開口部を塞ぐ樹脂カバー、前記電源ＢＯＸと前記樹脂カバーとの間に両者の水密のために位置するブロック形状のシール用ゴムパッキンと、を有し、
前記シール用ゴムパッキンは、前記電源ＢＯＸの端面に接するシール接地面部と、前記シール接地面部から前記樹脂カバー方向に突出する環状の三角リブと、を有し、
前記電源ＢＯＸと、前記シール用ゴムパッキンと、前記樹脂カバーと、を組み合わせた状態で、前記環状の三角リブは、前記樹脂カバーに接触する点灯装置を備えた照明装置。
【発明の詳細な説明】
【技術分野】
【０００１】
本発明は照明装置に関する。
【背景技術】
【０００２】
現在、様々な製品において省エネルギー化の動きが進んでいる。省エネルギー化の動きに伴い、照明業界では、発光効率が良く省エネルギーなＬＥＤを光源としたものの需要が高まってきている。家庭用照明においては白熱電球からＬＥＤ電球へと切替が進んでいる。
【０００３】
これまで工場などの照明には、電灯よりも長寿命であり、明るく照射することのできる水銀灯が用いられていた。
【先行技術文献】
【特許文献】
【０００４】
【特許文献１】特開2005-158408号公報
【発明の概要】
【発明が解決しようとする課題】
【０００５】
ただし、ＬＥＤ照明装置は水銀灯と比べると長寿命であり、水銀灯と同様に明るく照射することができ、水銀灯よりも始動性が良く、水銀灯よりも消費電力を減らすことができるため、工場などの照明にもＬＥＤを光源としたものが望まれている。
【０００６】
ところで、工場に使用する場合、その使用環境により、防湿、防雨、塩害、粉塵、オイルミストなど、それらに対応するため水密封性を高める必要があるが、組み立て性が複雑とならないよう配慮する必要がある。
【０００７】
本発明は、作業性と水密封性が高い点灯装置の構造の提供を目的とする。
【課題を解決するための手段】
【０００８】
本発明は、上記課題を解決するために、点灯装置を収納するための電源ＢＯＸと、該電源ＢＯＸの開口部を塞ぐ樹脂カバー、前記電源ＢＯＸと前記樹脂カバーとの間に両者の水密のために位置するブロック形状のシール用ゴムパッキンと、を有し、前記シール用ゴムパッキンは、前記電源ＢＯＸの端面に接するシール接地面部と、前記シール接地面部から前記樹脂カバー方向に突出する環状の三角リブと、を有し、前記電源ＢＯＸと、前記シール用ゴムパッキンと、前記樹脂カバーと、を組み合わせた状態で、前記環状の三角リブは、前記樹脂カバーに接触する点灯装置を備えた。
【発明の効果】
【０００９】
本発明によれば、作業性と水密封性が高い点灯装置の構造を提供することができる。
【図面の簡単な説明】
【００１０】
【図１】照明装置の全体斜視図
【図２】（ａ）点灯装置の平面図（ｂ）点灯装置の正面図（ｃ）点灯装置の側面図
【図３】点灯装置の一部分解図（外部電源引込み側）
【図４】点灯装置の一部分解図（LED光源ランプ接続側）
【図５】（ａ）シール用ゴムパッキンの正面図（ｂ）シール用ゴムパッキンの側面図（ｃ）シール用ゴムパッキンの背面図（ｄ）シール用ゴムパッキンの拡大図（ｅ）シール用ゴムパッキンのＡ−Ａ断面図
【発明を実施するための形態】
【００１１】
以下、本発明の実施例にかかる照明装置１００の構成を添付の図１〜図５を用いて説明する。また、実施例内の説明の便宜上、図示しない天井側を上側、床面側を下側とする。
本照明装置１００は、建築物、主に工場の内部の天井面や、分電盤内に設置され、建築物に設けられた屋内配線器具と接続されることで外部電源と接続されるとともに所定の位置に固定されて使用されるものである。
【００１２】
図１は、照明装置１００の全体斜視図である。照明装置１００は、LED光源ランプ1と点灯装置2から成り、LED光源ランプ1を天井側へ設置し、点灯装置2を同じ天井面や、分電盤内に設置した後に、LED光源ランプ1と点灯装置2の間に配線を接続する。図２は、点灯装置の平面、正面、側面の三面図である。図３は点灯装置1の外部電源接続側を一部分解した図を示し、図４はLED光源ランプ1接続側を一部分解した図を示す。図５は、点灯装置2内に収容するシール用ゴムパッキン6の単品図を示す。
【００１３】
照明装置１００は、電源BOX4と、点灯用回路基板3と、を有し、前記点灯用回路基板3は、電源BOX4の内部に有し、前記電源BOX4の両端の開口部には、シール用ゴムパッキン6を有し、前記シール用ゴムパッキン6の外側には、覆うように樹脂カバー5を有している。シール用ゴムパッキン6には、点灯用回路基板3と合わさる位置に溝形状と溝形状側面に複数のリブ形状を有しており、点灯用回路基板3を押えることが出来る。また、前記シール用ゴムパッキン6の輪郭は、電源BOX4の開口面に沿う平面形状となっており、押し合わせることで、水密性を保持することが出来る。また、前記シール用ゴムパッキン6には、樹脂カバー5と合わせる面に、三角のリブ形状を外周に有しており、押し合わせることで、水密性を保持することを特徴とする。電源ＢＯＸ４と樹脂カバー５との間に両者の水密のために位置するシール用ゴムパッキン６を有する。
【００１４】
図３、図４に示すように、点灯装置２は、点灯用回路基板３と、電源ＢＯＸ４と、固定金具４ａと、絶縁用の樹脂シート4bと、樹脂カバー５と、シール用ゴムパッキン６と、LED光源接続用口出線７と、外部電源接続用口出線8と、ゴムブッシュ９と、ゴムブッシュ押え金具１０と、を有する。点灯装置2の筐体は、口の字形状のアルミ押出しで形成された電源BOX4である。電源ＢＯＸ４は、略角柱形状をしており、両端に開口部を有する。電源BOX4の中に収容する、点灯用回路基板3は、高温となることから、筐体となる電源BOX4は放熱性の良い材料で形成することが望ましい。また。電源BOX4の下面には、天井に取付けるための固定金具4aがあり、重量を支え、また放熱性の良い材料とすることが望ましい。また、電源用BOX4の重量により、固定金具4aが破損することが無いように、軽い材料のアルミを使用することが望ましい。
【００１５】
図３、４に示すように、点灯用回路基板3の両端には、配線接続用のコネクタがあり、外部電源接続用口出線8と、LED光源接続用口出線7が接続される。
【００１６】
樹脂カバー５は、略四角形状の部材である。樹脂カバー５は、シール用ゴムパッキン６を介して電源ＢＯＸ４の開口部を塞ぐように設けられる。樹脂カバー５は、樹脂カバー開口部を備える。樹脂カバー開口部には、口出線が通過する配線通し穴を備えたゴムブッシュ９が配置される。樹脂カバー開口部にゴムブッシュ９が配置されることで、口出線が通過する際のシールとなる効果を奏する。また、ゴムブッシュ9を、樹脂カバー5に固定するため、ゴムブッシュ押え金具10をゴムブッシュ９に被せ、ねじにより樹脂カバー５に固定する。ゴムブッシュ押え金具10を用いることにより、口出線の固定保持力を増すことが出来、万が一に点灯装置2の固定金具4aが破損した場合でも、口出線の保持により、直接の落下に至らないよう補助することができる。そのため、ゴムブッシュ9と、シール用ゴムパッキン6は別部材として、別々に設けることが望ましい。
【００１７】
図５に示すシール用ゴムパッキン6は、工場環境での粉塵や、雨漏りにより水滴が、点灯装置2の外側を伝わる異常状態時にも、点灯装置２の内部への侵入を防止するためのものである。また、点灯装置２が振動の大きい環境に設置される場合もあるため、シール用ゴムパッキン6は、密着性の良い柔らかい材料とすることが望ましい。
【００１８】
本実施例における最も温度の高いものは、点灯用回路基板3である。点灯用回路基板3の熱は、電源BOX4により放熱させるが、電源BOX4に直接接するシール用ゴムパッキン6の材料は、高温環境に耐える材料とすることが望ましい。また、点灯用回路基板3におけるコンデンサーが万が一ショートし、火花が出る異常な事態に、延焼が筐体内で終息する様に、シール用ゴムパッキン6や、両端外郭の樹脂カバー5は熱に強い材料とすることが望ましい。
【００１９】
点灯用回路基板3には、放熱用の放熱板が配置されている。放熱用の板にはねじ固定用の穴が設けられており、電源BOX4の外側側面より、ねじ固定をする。
【００２０】
放熱板が接する面以外は、点灯用回路基板3と電源BOX4との間に、絶縁用の樹脂シート4bがある。樹脂シート４ｂは、電源BOX4の口の字形状に沿って折り曲げたものである。そのため、ねじ固定と併用し、点灯用回路基板3を固定する方法として、シール用ゴムパッキン6に、基板を固定するための溝形状を設けている。点灯用回路基板3を固定するために剛性をあげると外部から衝撃が直接半導体に伝わってしまうことから、側面部の固定にシール用ゴムパッキン6で行うことにより、衝撃を緩和することが出来る。
【００２１】
図５のシール用ゴムパッキン6には、電源ＢＯＸ４の端面に接するシール接地面部6ａと、拡大図に示すようにシール接地面部から前記樹脂カバー方向に突出する環状の三角リブ６ｂが設けられている。三角リブ６ｂは、略三角形上のリブが、樹脂カバー5に接する側の外周に環状になるよう設けられている。三角リブ６ｂを線で潰すことにより（三角リブの頂点を樹脂カバーの面で潰すことにより）、樹脂カバー5側の水密性を確保することが出来る。電源ＢＯＸ４と、シール用ゴムパッキン６と、樹脂カバー５と、を組み合わせた状態で、環状の三角リブは、樹脂カバー５に接触する。
【００２２】
図５のように、シール用ゴムパッキン6はブロック形状を有している。ブロック形状のため、従来使用されていたようなOリング等を溝に沿って這わせる作業がなく、シール用ゴムパッキン６を電源BOX1-1bの開口部へ置くだけで水密性を確保することができるという簡略化および作業工程を低減するという効果を奏することが出来る。
【符号の説明】
【００２３】
1  LED光源ランプ
2  点灯装置
3  点灯用回路基板
3a 放熱用板
4  電源BOX
4a 固定金具
4b 絶縁用樹脂シート
5  樹脂カバー
6  シール用ゴムパッキン
7  LED光源接続用口出線
8  外部電源接続用口出線
9  ゴムブッシュ
10 ゴムブッシュ押え金具
【図１】
2020140785.tif 000003
【図２】
2020140785.tif 000004
【図３】
2020140785.tif 000005
【図４】
2020140785.tif 000006
【図５】
2020140785.tif 000007